(57)【特許請求の範囲】
【請求項１】
動静脈（ＡＶ）フィステルを作るための装置であって、
前記装置は、
第１の管腔と第２の管腔を有する本体を含む第１の部材、
前記第２の管腔に配され、前記第２の管腔から遠位に移動するように、および、遠位に移動する間に組織を切り裂くように構成された穿刺部材を含む、第２の部材、
前記穿刺部材の遠位端から延び、隣接する第１および第２の血管を互いに向かって移動させるように動作可能であり、および、第１の血管と第２の血管の各々の対向する側部に細長く延びた連通開口を形成するようにエネルギーを与えられる、第３の部材を含み、
前記第３の部材は、前記穿刺部材の遠位端から前記本体の第１の管腔の遠位端へ延伸可能な針を含むことを特徴とする装置。
【請求項２】
第３の部材は、前記穿刺部材の遠位端にヒンジ接続され、前記穿刺部材に対して第１の配向と第２の配向の間で旋回可能なトグル部材を含む、請求項１に記載の装置。
【請求項３】
前記トグル部材は、その１つの端部に尖端を有する、請求項２に記載の装置。
【請求項４】
前記細長く延びた連通開口を作る目的でトグル部材にエネルギーを与えるために、トグル部材に適用するためのＲＦエネルギー源をさらに含む、請求項２に記載の装置。
【請求項５】
前記細長く延びた連通開口を作る目的でトグル部材にエネルギーを与えるために、トグル部材に適用するための抵抗性の熱エネルギーの源をさらに含む、請求項２に記載の装置。
【請求項６】
前記針を近位方向に引っ込めるために前記第１の管腔に配される器具をさらに含む、請求項１に記載の装置。
【請求項７】
前記第１の管腔と前記第２の管腔が同軸にない、請求項１に記載の装置。
【発明の詳細な説明】
【背景技術】
【０００１】
身体では、様々な流体は様々な本質的な機能を行なうために有機体の全体にわたって導管を介して輸送される。血管、動脈、静脈および毛細管は、処理のために種々の器官および組織に栄養素および廃棄物を運んで、身体の全体にわたって血液を運ぶ。胆管は肝臓から十二指腸まで胆汁を運ぶ。尿管は腎臓から膀胱まで尿を運ぶ。腸は口から肛門まで栄養素と廃棄物を運ぶ。
【０００２】
医療行為において、多くの場合、互いまたは既存の導管の疾患または機能障害を処置する、置換導管に導管を接続する要求がある。導管間で作成された接続は吻合と呼ばれる。
【０００３】
血管では、吻合は、静脈および動脈、動脈および動脈、または静脈および静脈の間で作られる。これらの接続の目的は、動脈と血管の間で、高いフロー接続（ｈｉｇｈ  ｆｌｏｗ  ｃｏｎｎｅｃｔｉｏｎ）、またはフィステルのいずれかを作ること、或いは置換導管の障害物のまわりの血液を運ぶこと、或いはバイパスを作ることである。バイパスのための導管は、静脈、動脈または人工グラフト（ｇｒａｆｔ）である。
【０００４】
吻合は、２つの静脈または導管を直接接触させることにより、手術中に作成される。血管は、縫合糸またはクリップにより互いに連結される。吻合は、末端同士、末端と側部或いは側部同士であり得る。血管では、吻合は楕円の形態であり、連続縫合糸で手によって縫われるのが最も一般的である。炭酸ガスレーザーおよび様々な接続用の人工器官（ｐｒｏｔｈｅｓｉｓ）、クリップおよびステントを使用する多くの方法を含む、吻合生成のための他の方法が使用されている。
【０００５】
動脈−静脈のフィステル（ＡＶＦ）は、静脈に動脈を接続することにより作成される。この種の接続は、運動耐容量を増加させるか、動脈または血管の開路を維持するか、あるいは化学療法に信頼できるアクセスを提供するために血液透析に使用される。
【０００６】
代替的に、動脈と血管の間の高いフロー接続を作成する同じ目的のために動脈から血管に人工グラフトの移植を接続する。これは、動脈−静脈グラフトと呼ばれ、２つの吻合を必要とする。１つは動脈とグラフトの間であり、２つ目はグラフトと静脈の間である。
【０００７】
バイパスは、動静脈グラフトに似ている。通過障害を迂回するために、２つの吻合および１つの導管が必要である。近位吻合は血管から導管まで作成される。導管は、通過障害のまわりまで延び、２つ目の遠位の吻合は、導管と通過障害を越えた血管の間で作成される。
【０００８】
上で注意したように、現在の医療行為では、血液透析の目的でフィステルを作成するために静脈に、動脈を接続することが望まれる。血液透析のプロセスは、迅速な速度で身体からの血液の除去を必要とし、透析装置に血液を通過させ、そして身体に血液を戻す。血液循環へのアクセスは、大動脈、静脈及び動脈またはフィステル（そこでは、静脈が直接動脈に取り付けられる）に取り付けられた人工グラフトに設けられたカテーテルによって達成される。
【０００９】
血液透析用フィステルは腎不全の患者に必要とされる。フィステルは、老廃物を除去し、ついで身体に戻すために、身体から透析装置に引き抜かれ得る高い血流を提供する。血液は、動脈の近くの大きいアクセス針を介して引き抜かれ、第２の大きいリターン針を介してフィステルに返される。これらのフィステルは、典型的には前腕、上腕に作成され、それほど頻繁ではないが、腿に作成され、まれな症例において、他の部位に作成される。フィステルが毎分５００ｍｌ以上の流量を達成することは重要である。透析フィステルは、皮膚に接近しなければならず（＜６ｍｍ）、および大きい針でアクセスするのに充分大きくなければならない（＞４ｍｍ）。アクセス針とリターン針の適切な分離を可能にし、フィステルに挿入された針の間で、透析された血液、透析されていない血液の循環を防止するために、フィステルは充分に長い（＞６ｃｍ）ことが必要である。
【００１０】
フィステルは、組織を囲んでいる静脈および動脈から注意深く静脈及び動脈を切り裂き、微細な縫合糸またはクリップと共に血管を縫うことにより、麻酔をかけられた患者に作成される。このように作成された接続が吻合である。切り裂きを少なく、苦痛を少なく、素早く、確かに吻合を行うことは、高度に望まれる。吻合が正しい大きさであること、滑らかであること、そして、動脈と血管がねじられないことが重要である。
【発明の概要】
【００１１】
本発明は、その一態様において、動静脈（ＡＶ）フィステルを作るための装置を含み、当該装置は、第１の管腔と第２の管腔を有する第１の部材または本体と、前記第２の管腔に配され、前記第２の管腔から末梢部へ移動されるように構成され、当該末梢部へ移動される間に組織を切り裂くための第２の部材または穿刺部材とを備えている。第３の部材は、前記穿刺部材の遠位端から延び、隣接する第１および第２の血管を互いの方に向かって移動させ、当該第１の血管と第２の血管のおのおのの対向する側部に細長く延びた連通開口を生成するように動作可能である。１つの特定の実施形態では、第３の部材は、前記穿刺部材の遠位端にヒンジ接続され、前記穿刺部材に対して第１の配向と第２の配向の間で旋回可能なトグル部材を含む。トグル部材は、その１つの端部に尖端を有し得る。
【００１２】
ＲＦエネルギーまたは抵抗性の熱エネルギーの源は、細長く延びた連通開口を作る目的でトグル部材への適用のために提供され得る。当業者に知られた他の切断機構も提供され得る。
【００１３】
第３の部材は、前記穿刺部材の遠位端から前記本体の第１の管腔の遠位端への延伸可能であるプリフォームされた（ｐｒｅ−ｆｏｒｍｅｄ）針を含む。スネア（ｓｎａｒｅ）または他の適切な器具が、針を近位方向に引っ込めるために第１の管腔に配される。
【００１４】
本発明の他の態様において、隣接する第１および第２の血管の間にＡＶフィステルを作るための方法は、前記第１の血管内にデバイスの本体を位置づける工程と、前記第１の血管の壁と、隣接する第２の血管の壁とを貫いて前記本体から遠位状に穿刺部材を延伸させる工程を含み、その結果、前記穿刺部材の遠位端が前記第２の血管内に配される。前記第１の血管および第２の血管の対向する壁に細長く延びた連通開口を穿設するために前記穿刺部材の遠位端に対して移動するために第３の部材を動作する。好ましくは、前記位置づける工程は皮膚を通して行なわれる。前記第３の部材は、好ましくは旋回可能なトグル部材を含み、そして前記動作する工程が前記穿刺部材の遠位端に対して旋回させる工程を含む。また、動作する工程は、さらに前記トグル部材に近位方向に向けられた張力を加える工程を含み、その結果、前記トグル部材は前記第２の血管を前記第１の血管の方に引く。
【００１５】
一つの代替において、発明性のある方法は、前記細長く延びた連通開口を生成するために、前記第１および第２の血管の前記対向する壁に沿って切断動作を引き起こすために、ＲＦエネルギーによって前記トグル部材にエネルギーを与える工程をさらに含む。他の代替において、このさらなる工程は、同じ目的のために抵抗性の熱エネルギーにより前記トグル部材にエネルギーを与えることにより行なわれる。特定の実施形態において、前記第３の部材は、プリフォームされた穿刺針を備え、前記動作する工程は、当該プリフォームされた穿刺針を移動する工程を含み、その結果、前記穿刺針の端部が第１の管腔の遠位端に入る。これらの実施形態において、当該デバイスは、さらに前記第１の管腔内に配されたプルワイヤー（ｐｕｌｌ  ｗｉｒｅ）にスネアを備え、前記動作する工程は、前記プリフォームされた穿刺針を捕捉するためのスネアを使用する工程を更に含む。
【００１６】
前記方法は、プルワイヤーを近位方向に引く工程をさらに含み、それによって、細長く延びた連通開口を作るために前記第１の血管および第２の血管の対向する壁に沿って切断する作用を引き起こすためにプリフォームされた穿刺針を近位方向に移動させる。
【００１７】
本発明の他の態様において、動静脈（ＡＶ）フィステルを作るためのシステムが提供され、当該システムは、中空内部及び出口ポートを有する血管アクセスシース、前記シースの中空内部内に適合するように構成された側部アクセス針カテーテル、前記側部アクセス針カテーテルを通して血管内に挿入されるように構成された針、前記シースの前記中空内部内に適合するように構成されたトグル送達カテーテル、および前記トグル送達カテーテルを介して血管内に送達されるように構成されたトグル装置を含む。前記トグル装置は、シャフトと、当該シャフトの遠位端に旋回可能に取付けられたトグル部材を備える。
【００１８】
ＲＦエネルギーまたは抵抗性の熱エネルギーの源は、動脈および静脈などの２つの隣接した血管の間に細長く延びた連通開口を作ること、あるいはトグル部材に対向する血管表面にエネルギーを適用することを含み得る目的のために、前記トグル部材への適用のために提供され得る。当業者に知られた他の切断機構も提供され得る。
【００１９】
側部アクセス針カテーテルは、好ましくは第１の管腔および第２の管腔を含む。前記トグル部材は、シャフトを使用して延伸された遠位位置と、引っ込められた近位位置の間で動作され得る。
【００２０】
ヒーターは、２つの隣接した血管の間の細長く延びた連通開口を作る目的でトグル送達カテーテル内に提供され得る。そのような場合に、ヒーターは、構造上、トグル送達カテーテルから分離されるか、或いは代替的にトグル送達カテーテルと一体的なヒーター挿入物を含み得る。構造上分離した実施形態では、ヒーター挿入物はトグル送達カテーテルから取り除かれ得る。好ましくは、ヒーター挿入物は、トグル部材が近位位置へ引込められる場合に、トグル部材と係合するのに適し、抵抗性の材料を含む表面を備えている。ヒーター挿入物は、また溶接切断領域およびガイドワイヤ・スロットと、ヒーター挿入物へ動力ワイヤーを伝達する装置を含み得る。
【００２１】
好適な実施形態において、ＲＦまたは抵抗性の熱エネルギーの前述の源は、２つの隣接した血管の間の細長く延びた連通開口を作る目的で、前記トグル部材およびヒーター挿入物の両方に適用される。
【００２２】
本発明のさらに他の態様では、隣接する第１および第２の血管の間にＡＶフィステルを作る方法が開示され、当該方法は、第１の血管内に第１のガイドワイヤを挿入する工程、前記第１のガイドワイヤ上に前記第１の血管内の中空血管アクセスシースを位置づける工程、前記シース内に針を挿入する工程、および第１の血管の側壁と隣接した第２の血管の側壁を貫通する針を使用する工程を含む。付加的な方法の工程は、針の遠位端が第２の血管に入るように針を進める工程、前記針によって第１の血管から第２の血管へと第２のガイドワイヤを挿入する工程、処置位置から、第１のガイドワイヤおよび針を引き抜く工程、第２のガイドワイヤ上のシースにトグル送達カテーテルを挿入する工程を含む。この際に、シャフトと、当該シャフトの遠位端に旋回可能に取付けられたトグル部材を含むトグル装置は第２のガイドワイヤ上を進められ、その結果、トグル部材は第２の血管内に配される。トグル部材は、第２の血管の壁に接触させるために近位へ移動され、開口は２つの血管のうちの１つの壁を通って作られる。代替のアプローチは、燃焼と、蒸発を介してトグル部材の大きさ及び形状にラフに組織を除去する工程を含み得る。トグル部材移動工程は、トグル部材の長さが第２の血管の壁に接するようにトグル部材を旋回する工程を含む。
【００２３】
発明性のある方法による１つのアプローチにおいて、開口作成工程は、両方の血管の壁を貫いて開口を作成する工程を含み、第１および第２の血管の各々の壁の開口は、共に、前記ＡＶフィステルを作成するために前記血管の間に連通開口を作成する。有利には、エネルギーを与えられた部材（あるいは複数の部材）は、連通開口を作成するために、組織を切断するか除去するとともに、開口を定義する組織の縁は、加工された縁を作成し、したがって、ＡＶフィステルが完成した後、さらなる組織の損傷を防ぐため、かつ密閉して失血を防ぐように組織を密閉するために溶接され密閉される。
【００２４】
上記の顕著なエネルギーを与えられた部材は、トグル部材、またはトグル送達カテーテルに配されたヒーター、あるいは、好ましくは、両方を含み得、その結果、開口を作成する工程は、トグル部材およびヒーターにエネルギーを与えて開口が形成されるべき組織の対向する側部にエネルギーを与えられたトグル部材およびエネルギーを与えられたヒーターを適用する工程を含む。ヒーターは、好ましくは、トグル送達カテーテルから除去可能なヒーター挿入物を含む。
【００２５】
本発明は、追加の特徴およびその利点と共に、添付の例証的な図面と共にあげられた以下の説明に言及することによって最良に理解される。
【図面の簡単な説明】
【００２６】
【図１】図１は、本発明の装置の１つの実施形態の図であり、当該装置は、血管の所望の処置位置で経皮的に或いは外科的に配されている。
【図２】図２は、本発明のシャフトとトグルの部材を分離して例証している図である。
【図３】図３は、図１に類似の図面であり、図２で図示されたトグル部材は、第１の血管から、隣接した第２の血管へと伸びている。
【図４】図４は、図３に類似の図面であり、張力は、トグル部材を動かして第２の血管を近接した第１の血管へと引っ張るために、トグル部材に適用されている。
【図５】図５は、図１乃至４の発明性のある装置が処置上の部位から引き抜かれた後に、本発明の装置および方法によって作られるフィステルを図示する。
【図６】図６は、第１の血管と第２の血管の間で作られる連通管腔を図示する。
【図７】図７は、本発明の装置の第２の修正された実施形態を図示する、図１に類似する図面であり、前記装置は、第１の血管にある所望の処置上の位置にて、皮膚を通して又は外科的に位置付けられている。
【図８】図８は、図７に類似する図面であり、前記装置の第２の穿刺要素は、第１の血管から、隣接した第２の管へと伸びている。
【図９】図９は、図７と８に類似する図面であり、予め形成された穿刺針は、第２の穿刺要素から前記装置の本体の遠位端へと伸びている。
【図１０】図１０は、図９に類似する図面であり、スネアは、穿刺針を捉えて固定し、その後、それを通って近位に引っ張るため、前記装置の本体を通って伸びている。
【図１１】図１１は、分離した本体の遠位先端の側面図である。
【図１２】図１２は、図１１に示される遠位先端の平面図である。
【図１３】図１３は、本発明のまた別の実施形態で使用される、血管アクセスシースの平面図である。
【図１３Ａ】図１３Ａは、図１３のシースの等角図である。
【図１４】図１４は、図１３のシースと共に使用するための針カテーテルの側部アクセス部分（ｔｈｅ  ｓｉｄｅ  ａｃｃｅｓｓ  ｐｏｒｔｉｏｎ）の断面図である。
【図１４Ａ】図１４Ａは、図１４のライン１４Ａ−１４Ａに沿って得られた断面図である。
【図１５】図１５は、ガイドワイヤ上で、図１３の血管アクセスシースに挿入されるカテーテルの断面図である。
【図１６】図１６は、カテーテルに挿入される側部アクセス針およびガイドワイヤの、図１５に類似する断面図である。
【図１６Ａ】図１６Ａは、図１４−１６に示される側部アクセス針カテーテルの等角図である。
【図１７Ａ】図１７は、図１３−１６の実施形態のトグル送達カテーテルの断面図である。
【図１８】図１８は、図１７に類似する断面図であり、トグル送達カテーテルは、シースに挿入されている。
【図１９】図１９は、図１７と１８に類似する断面図であり、トグル部材は、側部アクセスガイドワイヤ上に挿入されている。
【図２０】図２０は、図１９に示されるような装置の等角図である。
【図２１】図２１は、図１３乃至２０で図示されるトグル送達カテーテルの実施形態を使用して、本発明の原理に従ってＡＶフィステルを作る、発明性のある方法の第１の工程を示す等角図である。
【図２２】図２２は、図２１に類似する図面であり、針は、患者の手の血管に挿入されている。
【図２３】図２３は、針を通して血管へガイドワイヤを挿入する状態を図示する図面である。
【図２４】図２４は、図２３に類似する図面であり、前記針は、引き抜かれて取り除かれている。
【図２５】図２５は、図２３と２４に類似する図面であり、シースは、ガイドワイヤに挿入されている。
【図２６】図２６は、図２３乃至２５に類似する図面であり、シースは、血管へと更に進められている。
【図２７】図２７は、図２６に類似する図面であり、前記側部アクセス針カテーテルは、シースを通って挿入されている。
【図２８】図２８は、図２７に類似する図面であり、前記側部アクセス針は、第２の隣接した血管へ進められている。
【図２９】図２９は、図２８に類似する図面であり、第２のガイドワイヤは、側部アクセス針を通って進められている。
【図３０】図３０は、図２９に類似する図面であり、前記第１のガイドワイヤ、側部アクセス針、および側部アクセス針カテーテルはすべて取り除かれ、第２のガイドワイヤは適所に残る。
【図３１】図３１は、図３０に類似する図面であり、トグル部材を有するトグル送達カテーテルが挿入され、トグル部材は第２のガイドワイヤ上に進められている。
【図３２】図３２は、図３１に類似する図面であり、前記トグル部材は、第２の血管へ進められている。
【図３３】図３３は、図３２に類似する図面であり、前記トグル部材は、回転し、その長さを調節することで、前記トグル部材が挿入された血管の面と並列になり、その後、２つの血管を固着する（ｃｉｎｃｈ）ために近位に引き抜かれる。
【図３４】図３４は、図３３に類似する図面であり、前記トグルは、２つの血管の壁を通って引っ張られている。
【図３５】図３５は、トグルとアクセスシースが取り除かれた後の、完成したＡＶフィステルを図示する。
【図３６】図３６は、図１３乃至２０のトグル送達カテーテルの実施形態（２１０）の等角図であり、トグルヒーター挿入物の構造の詳細を図示する。
【図３７】図３７は、図３６に類似する等角図であり、熱シールドは、実例となる明瞭さのために取り除かれている。
【図３８】図３８は、トグルヒーター挿入物へ動力ワイヤーを運ぶための多数の管腔を図示する、トグル送達カテーテルの実施形態のトグル挿入シースの等角図である。
【図３９】図３９は、トグルヒーター挿入物の１つの実施形態の等角図である。
【図４０】図４０は、トグルヒーター挿入物の別の実施形態の等角図である。
【図４１】図４１は、トグルヒーター挿入物を備えた、カテーテルトグル送達システムの実施形態の等角図である。
【図４２】図４２は、末端プラグおよび動力ワイヤーを示す、カテーテルトグル送達システムと共に使用するためのカテーテルチューブの等角図である。
【図４３】図４３は、適所にトグルヒーター挿入物を備えた、図４２のカテーテルチューブの等角図である。
【発明を実施するための形態】
【００２７】
図面をより具体的に参照すると、図１乃至６において、本発明の原理に従って構築される装置（１０）の１つの実施形態が示される。図１で示されるように、装置（１０）は、第１の管腔（１４）と第２の管腔（１６）を有する本体（１２）を含む。ＡＶフィステルを作成する発明性のある方法を始めるために、当業者は、互いに近接している第１の血管（１８）と第２の血管（２０）の各々を有する、適切な処置上の部位を選択する。現在の好ましい手法において、第１の血管（１８）は静脈を含み、第２の血管（２０）は動脈を含むが、本発明は必ずしもこの取り決めに限定されない。図示されるように、本体（１２）は第１の血管（１８）に挿入され、その結果、その遠位端（２２）は第１の血管の血流通路（ｂｌｏｏｄ  ｆｌｏｗ  ｐａｓｓａｇｅ）内に存在する。好ましくは、この挿入工程は、経皮技術を使用して行なわれるが、所望の場合、外科技術も使用され得る。
【００２８】
特に図２を参照すると、装置（１０）の一部を含む、穿刺トグル部材（２４）が示される。穿刺トグル部材（２４）は、シャフト（２６）およびトグルバー（２８）を含む。トグルバー（２８）は、好ましくは、その１つの端部の上に尖端（３０）を有するように構築される。それは、ヒンジ点（３２）によって、シャフト（２６）の遠位端へ旋回可能に付けられる。
【００２９】
図２で示されるように、トグルバー（２８）は、２つの主要な配向の間で旋回可能である。第１の、または閉じた配向（３４）は、実線で示され、一方、第２の、又は開いた配向（３６）は、点線で示される。以下により十分に記載されるように、閉じた配向（３４）は、装置の引き抜き工程と同様に最初の装置の挿入工程中に利用される一方で、開いた配向（３６）は、フィステルを作成するのに操作的な配向である。トグルバー（２８）は、適切な方法によって、閉じた配向（３４）に付勢される。
【００３０】
図１を再び参照すると、第２の管腔の遠位端にて、その閉じた配向（３４）において、配置されたトグルバー（２８）と共に、穿刺トグル部材（２４）が、本体（１２）の第２の管腔（１６）に挿入されることが分かる。
【００３１】
ここで、図３に関して、穿刺トグル部材（２４）が遠位に進められ、その結果、それは、第２の管腔（１６）の遠位端を出て、本体の壁に提供される開口（図示せず）を通ることが分かる。さらに、その閉じた配向（３４）において、トグルバー（２８）の尖端（３０）を使用して、トグルバー（２８）とシャフト（２６）は、第１の血管（１８）を通って進められ、第１の血管の壁、第１の血管と第２の血管（２０）の間の組織（３０）、及び第２の血管（２０）の壁を穿刺し、その結果、トグルバー（２８）とシャフト（２６）の遠位端は、第２の血管（２０）の中に配置される。
【００３２】
一旦、穿刺トグル部材（２４）の遠位端、およびトグルバー（２８）が第２の血管（２０）内に位置すると、図４に示されるように、トグルバー（２８）は、その開いた配向（３６）に対して旋回される、または展開され得る。その後、引張力は、所望のフィステルを形成する細長い開口の生成のための選択された位置で、第２の血管壁と接触するようにトグルバー（２８）を移動させるために、矢印（４０）に沿って、穿刺トグル部材（２４）のシャフト（２６）上で近位に適用される。この動作は、第１の血管（１８）へと、第２の血管（２０）をより近接して引っ張るように最初に機能する。その後、１つの実施形態において、無線周波数（ＲＦ）エネルギーは、トグルバー（２８）に適用される。ＲＦエネルギーは、任意の介在組織（３８）と同様に、第１の血管（１８）と第２の血管（２０）の各々の対向する壁を通る、細長い開口（４２）を焼くように機能する。この細長い開口（４２）は、図５と６に示される。所望の場合、抵抗加熱（ホットワイヤ）、超音波、レーザー、または機械的な手法のような選択を切り離す手法は、ＲＦエネルギーの代わりに使用され得る。
【００３３】
細長い開口（４２）は、形成されと、典型的にはスリットに類似している。しかしながら、加圧された血流（４４）が、スリット（４２）を通って生じ始め、第１血管（１８）と第２血管（２０）との間の連通路を作り出すと、スリットは、圧力に反応して広くなり、所望のフィステルを形成する。開口の縁部（４６）は焼灼され、その後、装置（１０）は処置上の部位から取り除かれる。
【００３４】
ここで、特に図７−１２を参照すると、本発明の装置（１１０）および方法の代替的な実施形態が記載され、参照符号１から始まる、類似する参照符号は、類似する構成要素に対応する。本実施形態は、多くの方法で図１−６の実施形態と同様に機能するが、同様に著しく異なる。これらの違いは、以下の説明で強調される。
【００３５】
前の実施形態でのように、装置（１１０）は、一次管腔（１１４）および二次管腔（１１６）を有する本体（１１２）を含む。図７に示されるように、装置（１１０）は、所望の処置上の部位で、第１血管（１１８）に、好ましくは経皮的に挿入される。第２穿刺部材（４８）は、二次管腔（１１６）へ挿入される。この第２穿刺部材（４８）は、尖端遠位端（５０）を有する。
【００３６】
図８において、第２穿刺部材は、矢印（５２）の方向に沿って、遠位に進められ、その結果、尖端遠位端（５０）は、二次管腔（１１６）の遠位端および本体（１１２）の壁内の開口（図示せず）を出て、第１血管（１１８）およびその壁、組織（１３８）、および第２血管（１２０）の壁を通って伸びる。したがって、示されるように、第２穿刺部材（４８）の尖端遠位端（５０）は、十分に伸びた時、言及される組織を通って貫通した後に、第２血管（１２０）内に配される。
【００３７】
ここで図９に示されるように、一旦、第２穿刺部材（４８）の尖端遠位端（５０）が、第２血管（１２０）内に位置付けられると、遠位端上にあご（５６）を有する、予め形作された穿刺針（５４）が作動され、第２穿刺部材（４８）の尖端遠位端（５０）から遠位に伸び、第２血管壁を通って、装置（１１０）の本体（１１２）の、遠位端（１２２）および結果的に一次管腔（１１４）へと戻る。本体（１１２）の遠位端（１２２）は、図１１および１２により詳細に示される。図１２に示されるように、当業者は、穿刺針（５４）を方向づける際に、標的領域（５７）を狙う。遠位端上にスネアループ（６０）を有する、プルワイヤー（５８）は、スネアループ（６０）があご（５６）に係合し、それを捕捉するまで、一次管腔（１１４）を通って遠位に伸ばされる。その後、図１０に示されるように、プルワイヤー（５８）は、近位に引っ込められ、あご（５６）を有する穿刺針（５４）を堅く捕捉し、穿刺針によって形成されたループ（６２）を締める。プルワイヤー（５８）を近位に引っ込め続けることによって、第１血管（１１８）および第２血管（１２０）の両方の壁を形成する組織と、任意の介在組織（１３８）を通ってワイヤーループ（６２）を引き、所望の細長いスリットまたは開口（１４２）を形成する。必要であれば、ループ（６２）は、切断作用を増強するためにエネルギーを与えられ得る。
【００３８】
図１３−２０において、本発明の原則に従って構築された、動静脈フィステルの装置またはシステム（２１０）のまた別の実施形態が示される。装置（２１０）は、血管アクセスシース（２６４）（図１３および１３Ａ）および側面アクセス針カテーテル（２６６）（図１４、１４Ａ、１６Ａ）を含む。側面アクセス針カテーテル（２６６）は、一次管腔（２６８）および二次管腔（２７０）（図１４および１４Ａ）を含む。
【００３９】
図１５では、側面アクセス針カテーテル（２６６）は、第１ガイドワイヤー（２７２）にわたって、血管アクセスシース（２６４）へ挿入された。示されるように、第１ガイドワイヤー（２７２）は、二次管腔（２７０）を通って伸びる。
【００４０】
図１６および１６Ａは、システム（２１０）（特に、システムの側面アクセス針カテーテルアセンブリー）をさらに示す。示されるように、側面アクセス針（２７４）は、シース（２６４）（シースは明瞭さのために図１６Ａに示されず）の近位端を通って挿入され、一次管腔（２６８）を通って、およびシース（２６４）中の側面ポート（２７６）から出て遠位に伸びる。第２ガイドワイヤー（２７８）は、示されるように、側面アクセス針（２７４）の近位端を通って挿入され、その遠位端から出ている。側面アクセス針カテーテルアセンブリーは、側面アクセス針（２７４）、側面アクセスカテーテル（２６６）、および第２ガイドワイヤー（２７８）の各々を含む。
【００４１】
ここで、図１７および１８を参照すると、本発明の原則に従って構築されたトグル送達カテーテル（２８０）が示される。図１８では、トグル送達カテーテル（２８０）は、第２ガイドワイヤー（２７８）にわたって、血管アクセスシース（２６４）へ挿入された。トグル送達カテーテルは、側面ポート（２８２）を含み、これは、示されるように、血管アクセスシース（２６４）およびトグル送達カテーテル（２８０）が組み立てられるときに、血管アクセスシースの側面ポート（２７６）と実質的に一致する。
【００４２】
図１９および２０では、示されるように、遠位端に付けられる旋回可能なトグル部材（２８５）を有する、トグル装置（２８４）は、トグル送達カテーテル（２８０）を通って、第２ガイドワイヤー（２７８）にわたり挿入された。
【００４３】
図１３−２０に関して上に示され記載される装置は、ここで、動静脈フィステルを作り出すためにシステム（２１０）が使用され得る特定の方法の説明と併用してさらに記載される。この方法は、図２１−３５によって具体的に示される。
【００４４】
動静脈フィステルを作り出す創造性のある方法を始めるために、当業者は、互いに接近している第１血管（２８７）および第２血管（２８８）の各々を有する適切な処置上の部位を選択する。現在の好ましい手法では、第１血管（２８７）は静脈を含み、第２血管（２８８）は動脈を含むが、本発明は必ずしもこの配置に限定されない。図２１に示されるように、１つの現在の好ましい位置は患者の手（２９０）である。ここで、図２２に示されるように、セルジンガー法の原則を一般に利用して、第１血管（２８７）は、針（２９２）によって穴をあけられ、針はその中に挿入される。その後、第１ガイドワイヤー（２７２）は、中空針（２９２）の管腔を通って血管（２８７）へと挿入され、矢印（２９３）の方向に進められる（図２３）。その後、図２４に示されるように、針（２９２）は、矢印（２９４）の方向に引っ込めることによって取り除かれる。
【００４５】
創造性のある方法の次の工程は、図２５に示されるように、第１ガイドワイヤー（２７２）にわたって第１血管（２８７）へと血管アクセスシース（２６４）を導入し、矢印（２９５）の方向にシース（２６４）を進める工程である。図２６に示されるように、側面ポート（２７６）が血管内に完全にあるように、一旦、シース（２６４）が第１血管（２８７）へ完全に挿入されると、図２７に示されるように、側面アクセス針カテーテル（２６６）は、第１ガイドワイヤー（２０）にわたって矢印（２９６）の方向にシース（２６４）へと導入される（図１５も参照）。
【００４６】
ここで、特に図２８、１６、および１６Ａを参照すると、側面アクセス針（２７４）は、側面アクセス針カテーテル（２６６）から出て、側面ポート（２７６）を通り、矢印（２９７）の方向に進められる。図２８に示されるように、側面アクセス針（２７４）は、尖った遠位先端（２９９）を有し、これは、第１および第２の血管（２８７）、（２８８）の各々の側壁にそれぞれ穴をあけ、その結果、側面アクセス針（２７４）の遠位端は、第２血管（２８８）の内部に配される。そこで、図２９および１６Ａに示されるように、第２ガイドワイヤー（２７８）は、側面アクセス針（２７４）の管腔を通って第２血管（２８８）の内部へ、矢印（３００）の方向に進められる。
【００４７】
図３０では、第２ガイドワイヤー（２７８）は、シース（２６４）および第２ガイドワイヤー（２７８）を残すようにして、第１ガイドワイヤー（２７２）、側面アクセス針（２７４）、および側面アクセス針カテーテル（２６６）がすべて、処置上の部位から引き込まれ、第１血管（２８７）から第２血管（２８８）へと依然として伸びる。
【００４８】
ここで、特に図３１、１７、および１８を参照すると、トグル送達カテーテル（２８０）は、第２ガイドワイヤー（２７８）にわたって、血管アクセスシース（２６４）を通り挿入される。トグル装置（２８４）は、図１９および２０に示されるのと同様、図３１に示されるように、シースの側面ポート（２７６）から出て進められる。トグル装置（２８４）は、トグル部材（２８５）を含み、これは、ピボットジョイント（３０４）によってトグル軸（３０２）上に旋回可能に配される。
【００４９】
図３２では、トグル装置（２８４）は、第２ガイドワイヤー（２７８）（図示されず）にわたって、第２血管（動脈）（２８８）の内部へ進められた。血管（２８８）に入るために、トグル部材（２８５）は、第１の、閉じた配向において、シャフト（３０２）と実質的に平行であるように旋回され、シャフト（３０２）が、その遠位端に多少よりかさばった形状、および随意に、尖った遠位先端（３０５）を有することであることを本質的に示している。第１と第２の血管の両方の壁が処置における側面アクセス針（２７４）によって既に破られているため、トグル装置は、随意の尖った遠位先端（３０５）または他の切断手段の助けなしであっても、第２血管（２８８）へ容易に進められ得る。一旦、トグル部材（２８５）の第２血管（２８８）への進入が達成されると、トグル部材（２８５）は、第２の、閉じた配向に、図３２に示されるように旋回され、その結果、その縦の配向は、一般的に、血管を通る血流の方向と平行である。
【００５０】
この点で、図３３に示されるように、トグル部材（２８５）が、その開いた配向において、所望のフィステルを形成する細長い開口の生成のために選択される位置で、第２血管（２８８）の内部壁に対して引かれるまで、トグル装置（２８４）は、第２ガイドワイヤー（２７８）に沿って近位に引き込まれる。この作用は、最初に、第２血管（２８８）を引くように働き、第１血管（２８７）により近接する。その後、１つの実施形態において、無線周波（ＲＦ）エネルギーがトグル部材（２８５）の長さに適用される。ＲＦエネルギーは、一緒に血管を燃やす且つ融合する又は溶接するように働き、第１血管（２８７）および第２血管（２８８）の各々の対向壁と、任意の介在組織を通って細長い開口（３０７）を作り出す。この細長い開口（３０７）は図３４および３５に示される。必要であれば、抵抗加熱（ホットワイヤー）、超音波、レーザー、または機械的な手法などの、代替的な切断の手法が、ＲＦエネルギーの代わりに使用され得る。エネルギーはまた、トグル送達カテーテルの対向面に適用され得る。
【００５１】
細長い開口（３０７）は、形成されと、図３４に示されるように、典型的にはスリットに類似する。しかしながら、圧流（３０９）が、スリットまたは開口（３０７）を通って生じ始め、第１血管（２８７）と第２血管（２８８）の間の連通路を作り出すと、開口は、圧力に反応して広くなり、開くと楕円の形状をとり、所望のフィステルを形成する。開口の縁部は焼灼且つ溶接され、その後、図３５に示されるように、装置（２１０）は処置上の部位から取り除かれる。創造性のある方法の実施において生じるように意図される型の組織溶接は、米国特許第６，９０８，４６３号でＴｒｅａｔ  ｅｔ  ａｌ．に考察され、これは、その全体が引用によって本明細書に明確に組み込まれる。
【００５２】
上に言及されるように、図３３−３５の考察に特に関して、本発明の重要な特徴は、開口または連通路（３０７）を定義する組織を溶接するための、言及されるような、ＲＦエネルギー、抵抗加熱、または他の様式を利用し得る、エネルギーを与えられた装置を利用することである。上に言及されるように、このエネルギーはトグルに適用され得るか、またはカテーテルに配されたヒーターに適用され得る。しかしながら、本発明では、出願人は、カテーテルおよびトグル部材の両方にエネルギーを適用するようなシステムを好都合に設計した。したがって、図１９および２０を再度考慮すると、トグルヒーター（３１１）は、トグル部材（２８５）の内面に配され得る。さらに、図１９および２０に示されるように、ヒーター挿入物（３１３）は、カテーテル内のその側面に配される。この配置の重要な特長は、カテーテルシステムが、トグル部材（２８５）上のトグルヒーター（３１１）およびカテーテルの側面上のヒーター挿入物（３１３）の両方に熱またはＲＦエネルギーを適用する能力を有していることである。１つの抵抗性のある実施形態において、ヒーター挿入物（３１３）は、ワイヤーに動力を供給するために接続される抵抗材料で作られ、これは以下により詳細に記載される。このヒーター挿入物（３１３）の表面は、トグル部材（２８５）と接合するように設計され、その結果、図３３−３４に示されるように、トグルがヒーター挿入物（３１３）に対抗して近位に引かれるときに、システムは、上に言及されるように、シースを通って装置から取り除かれ得る。しかしながら、この接合配置によってまた、それぞれの発熱体上に圧力が直接加えられ、切断を誘発する。ヒーター挿入物（３１３）の縁部は、材質の変更または形状によって熱を分散させるように設計され得ることで、タンパク質変性に特有の低温、約１２０−１７５Ｆを助長する。側面アクセスのトグル送達カテーテル上のこの空間にはまた、ＡＬＮＩ（窒化アルミニウムのヒーター）、または厚膜とポリイミドのフレックスヒーターの型を含む、他の高濃度の発熱体が充填され得る。ヒーター挿入物（３１３）はまた、除去を促進する折り畳みの動作または機構を組み込むことができ、ヒーターがトグル送達カテーテルの管腔の空間内へと移動することを可能にする。ヒーター挿入物（３１３）のこの動作はまた、トグル部材（２８５）が動脈から静脈を通って、カテーテルへ移動することを可能にすることによって切断を増強するために使用され得る。最終的に、トグル表面へのヒーター挿入物（３１３）の直接の接合および対向は、上に記載されるように、発熱体に直接の圧力を適用するための主要な機構である。
【００５３】
ここで特に図３６−３８を参照すると、カテーテルのトグル送達システム（２１０）の実施形態が示され、これは、加熱システム、および特にヒーター挿入物（３１３）の具体的な特徴をもう少し明確に例示している。トグル送達カテーテル（２８０）は、遮熱材（３１５）を含む。上に考察されるように、ヒーター挿入物（３１３）は、トグル部材（２８５）を接合するための溶接切断領域（３１７）をさらに含む。終端プラグの傾斜挿入物（３１９）も例示される。カテーテルチューブ（２８０）は、ヒーター挿入物（３１３）をシャフトの内部に置くことを可能にするために機械加工される。動力ワイヤー入力穴部（Ｐｏｗｅｒ  ｗｉｒｅ  ｉｎｐｕｔｓ  ｈｏｌｅｓ）または管腔（３２１）（図３６および３７）は、ヒーターに関する動力接続を受けるためのヒーター挿入物（３１３）において形成される。図３８は、分離した、カテーテルチューブ（２８０）を示し、特に、ヒーターシステムにエネルギーを供給するために、カテーテルチューブが、動力ワイヤー入力穴部（３２１）に動力ワイヤーを運ぶように働く、複数の管腔（３２３）とともに機械加工されることを特に示す。２つのこのような管腔（３２３）は、例示的目的のために、図３８に示されているが、本発明の範囲は、特定用途のための設計検討に依存して、異なる数を熟考することを留意されたい。例えば、１つのこのような代替的な実施形態では、４つの管腔（３２３）が使用されるだろう。
【００５４】
図３９は、全体としてシステムとは別のヒーター挿入物（３１３）の１つの実施形態を例証し、したがって、その構造をより明確に示している。
【００５５】
図４０では、ヒーター挿入物（３１３ａ）の改良された実施形態が示されている。この実施形態は、ガイドワイヤースロット（３２５）と同様に、穴部よりもむしろ、とりわけ動力接続スロット（３２１ａ）を含む。この特定の設計の開いた遠心端は、ヒーター挿入物の操作をより簡単にするように機能する。
【００５６】
図４１乃至４３は、本発明に従って、カテーテルトグル送達システムの幾分改良された実施形態（２１０ａ）を例証する。この実施形態において、同様の要素は同様の参照数字によって特定され、その後、文字ａが続き、異なる特徴のみが議論される。具体的には、この実施形態は、図４０の改良されたヒーター挿入物（３１３ａ）を収容するように設計され、その遠心端にガイドワイヤースロット（３２７）を含んでいる。カテーテルチューブ（２８０ａ）の遠心端のエンドプラグ（３２９）が図４２および４３で示され、これらの図もガイドワイヤースロット（３３１）を含んでいる。ヒーター挿入物（３１３）（３１３ａ）にエネルギーを与えるために、動力ワイヤー管腔（３２３）と動力ワイヤー入力穴部（３２１）とを通る動力ワイヤー（３３３）が図４２に示される。
【００５７】
従って、本発明による典型的な実施形態と方法が示され記載されてきたが、当然のことながら、本明細書で使用されるすべての用語は限定的であるよりもむしろ説明的なものであり、多くの変更、修正、および、置換は、以下の請求項によってのみ限定される本発明の精神と範囲を逸脱することなく、当業者によってなされてもよい。
【図２】
0005864064.tif 000002
【図６】
0005864064.tif 000003
【図８】
0005864064.tif 000004
【図９】
0005864064.tif 000005
【図１０】
0005864064.tif 000006
【図１１】
0005864064.tif 000007
【図１２】
0005864064.tif 000008
【図１３】
0005864064.tif 000009
【図１３Ａ】
0005864064.tif 000010
【図１４】
0005864064.tif 000011
【図１４Ａ】
0005864064.tif 000012
【図１５】
0005864064.tif 000013
【図１６】
0005864064.tif 000014
【図１６Ａ】
0005864064.tif 000015
【図１７】
0005864064.tif 000016
【図１８】
0005864064.tif 000017
【図１９】
0005864064.tif 000018
【図２０】
0005864064.tif 000019
【図２１】
0005864064.tif 000020
【図２２】
0005864064.tif 000021
【図２３】
0005864064.tif 000022
【図２４】
0005864064.tif 000023
【図２５】
0005864064.tif 000024
【図２６】
0005864064.tif 000025
【図２７】
0005864064.tif 000026
【図２８】
0005864064.tif 000027
【図２９】
0005864064.tif 000028
【図３０】
0005864064.tif 000029
【図３１】
0005864064.tif 000030
【図３２】
0005864064.tif 000031
【図３３】
0005864064.tif 000032
【図３４】
0005864064.tif 000033
【図３５】
0005864064.tif 000034
【図３６】
0005864064.tif 000035
【図３７】
0005864064.tif 000036
【図３８】
0005864064.tif 000037
【図３９】
0005864064.tif 000038
【図４０】
0005864064.tif 000039
【図４１】
0005864064.tif 000040
【図４２】
0005864064.tif 000041
【図４３】
0005864064.tif 000042
【図１】
0005864064.tif 000043
【図３】
0005864064.tif 000044
【図４】
0005864064.tif 000045
【図５】
0005864064.tif 000046
【図７】
0005864064.tif 000047